(57)【特許請求の範囲】
【請求項１】
画像データを電話回線などの通信回線を通じて通信する画像通信部には外付け電話機を接続するための電話端子と、画像データを無線通信部との間で送受するための画像端子とを備えており、
この画像通信部に、上記電話端子と上記画像端子とを通じて、画像データを無線通信する無線通信部を接続した構成とされ、
上記無線通信部には、画像データを記憶する記憶手段を備える一方、
上記画像通信部には、上記無線通信部の記憶手段を、バスを通じて直接アクセスする制御手段を備えている無線通信装置。
【請求項２】
上記画像通信部は、上記無線通信部を、上記電話端子とアナログ信号ラインとを通じて接続する音声通信手段を更に備えており、
上記音声通信手段は、上記無線通信部による上記アナログ信号ライン及び上記通信回線を通じた音声通信を制御する、請求項１に記載の無線通信装置。
【発明の詳細な説明】
【０００１】
【発明の属する技術分野】
本発明は、無線通信する画像データを、通信回線を介して通信する無線通信装置に関する。
【０００２】
【従来の技術】
従来から、無線通信装置として、親機と子機が無線接続されているコードレス電話機が、一般家庭に普及しているが、近時では、子機をファクシミリ装置とする一方、親機側に通信回線を接続したシステムが開発されており、これによれば、ファクシミリ装置は画像の読取機能（スキャナ機能）と画像の記録機能（プリンタ機能）を備えるだけでよいため、小型化が図れ、また、配線を気にせず設置場所の移動が自由にできるようになっている。
【０００３】
【発明が解決しようとする課題】
ところが、上記したファクシミリ通信する場合の無線通信装置の親機側は、予め、通信回線（電話回線）を接続してファクシミリ通信をする機能と、子機であるファクシミリ装置と無線通信する機能とを備えていなければならなかった。また、子機であるＰＨＳ等の音声通信装置によって、親機を介した通話をも可能とする場合、親機の構成及び制御が複雑になっていた。
【０００４】
本発明は、このような事情に鑑みてなされたものであり、通信回線を接続する画像通信部に対し無線通信部を簡易に接続できる構成とし、通信制御が複雑にならずに済むようにした無線通信装置を提供することを目的とする。
【０００５】
【課題を解決するための手段】
上記目的を達成するために、本発明の請求項１に記載の無線通信装置は、画像データを電話回線などの通信回線を通じて通信する画像通信部には外付け電話機を接続するための電話端子と、画像データを無線通信部との間で送受するための画像端子とを備えており、この画像通信部に、上記電話端子と上記画像端子とを通じて、画像データを無線通信する無線通信部を接続した構成とされ、無線通信部には、画像データを記憶する記憶手段を備える一方、画像通信部には、無線通信部の記憶手段を、バスを通じて直接アクセスする制御手段を備えている。
すなわち、子機からこの装置を介して画像データを送信する場合には、無線通信部が無線受信した画像データを画像通信部が通信回線に送出する一方、子機が外部から画像データをこの装置を介して受信する場合には、画像通信部が通信回線を通じて受信した画像データを、無線通信部が子機に対して無線送信する。
【０００６】
ここに、無線通信部は、記憶手段としてデュアルポートＲＡＭなどを備えた基板（オプションボード）などで構成される。画像通信部は、接続された基板のデュアルポートＲＡＭをアクセスし、通信回線を介して通信する画像データをやりとりする。
【０００７】
請求項２では、画像通信部は、無線通信部を、電話端子とアナログ信号ラインとを通じて接続する音声通信手段を更に備えており、音声通信手段は、無線通信部によるアナログ信号ライン及び通信回線を通じた音声通信を制御する。
【０００９】
【発明の実施の形態】
以下に、本発明の実施の形態について、図面とともに説明する。
図１は、無線通信装置の要部構成を示したブロック図である。この装置は、無線通信の親機として機能するとともに、通信回線として電話回線Ｌを接続し、この回線Ｌを通じた画像データ通信（ファクシミリ通信）と、音声通話とを可能とする。なお、これらの通信、通話は、この装置を介して、無線通信により子機側でも可能になっている。
【００１０】
図において、１は電話回線Ｌを接続する画像通信部、２はこの画像通信部１に接続される無線通信部である。ここでは、画像通信部１は、既存のファクシミリ装置で構成されているが、これには限定されず、子機による通信、通話の中継機能を果たすだけのものであってもよく、この場合は、ファクシミリ装置からスキャナ機能とプリンタ機能を取り除くことができる。また、一方の無線通信部２は、通信基板として構成され、画像通信部１にオプションとして接続できるようになっている。
【００１１】
画像通信部１と無線通信部２は、電話端子Ｔ１と画像端子Ｔ２とで接続されている。ここに、電話端子Ｔ１は、従来、ファクシミリ装置（１）が外付け電話機を接続するために設けている端子であり、モジュラジャックを差し込み、コネクタ接続するだけで、電話機による電話回線Ｌを通じた通話を可能とするものである。このように、無線通信部２は、既存の電話端子Ｔ１を用いて、画像通信部１に接続できるので、画像通信部１の構成が複雑にならずに済む。
【００１２】
画像通信部１において、１０はＣＰＵ等で制御手段を構成し、バス１８で接続された各部を制御する主制御部、１１は電話回線Ｌの閉結、開放などを制御するＮＣＵ、１２は電話回線Ｌを通じてファクシミリ通信するため、信号を変調、復調するＦＡＸモデム、１３は主制御部１０が各部を制御するために必要なソフトウェアプログラムなどを記憶したＲＯＭ、１４は必要なデータを記憶するために使用されるＲＡＭ、１５はファクシミリ送信する画像を原稿から読み取る読取部、１６は受信した画像データを所定の記録紙に記録（印字出力）する記録部、１７はテンキーや発信キー等で構成され、各種操作や電話番号等を入力するための操作部である。なお、この操作部１７には、入力された電話番号等を表示する表示手段を含んでいる。
【００１３】
一方、無線通信部２において、２０はＣＰＵ等で構成され、バス２７で接続された各部を制御する主制御部、２１はアンテナＡ２を接続して、アンテナＡ２から子機に信号を送信するとともに、子機から信号を受信するＲＦ部、２２は子機に送信するデータを、例えばπ／４シフトＱＰＳＫ（４相位相変調）方式により変調する一方、子機から受信したデータを同方式により復調する変復調部、２３はＴＤＭＡ（時分割多元接続）方式に適合したデータの作成、及び子機から受信したデータから必要なデータを抽出するチャネルコーデック、２４は子機に送信するデータをＡＤＰＣＭ（適応差分パルス符号変調）方式により符号化し、子機からの受信データを同方式により復号するＡＤＰＣＭコーデック、２５は音声通話のため、アナログ信号を入出力するためのアナログＩ／Ｆ（インタフェース）部、２６は記憶手段を構成し、通信する画像データ（デジタルデータ）の他、画像通信部１との間で制御データをやり取りするため、双方からのデータ入出力を可能とするデュアルポートＲＡＭ（以下、「ＤＰＲＡＭ」という。）である。
【００１４】
画像通信部１の主制御部１０は、無線通信部２のＤＰＲＡＭ２６を、バス１８を介して直接アクセスできるようになっており、また、画像通信部１において音声通信手段を構成するＮＣＵ１１は、無線通信部２のアナログＩ／Ｆ部２５を、アナログ信号ライン２８を介して接続する。
画像通信部１は、子機から無線通信部２を介して行われる、電話回線Ｌに対する画像通信時には、バス１８を介してＤＰＲＡＭ２６をアクセスし、このＤＰＲＡＭ２６を介在させて画像データを送受する一方、通話時には、アナログＩ／Ｆ部２５からアナログ信号である音声信号を、アナログ信号ライン２８、電話端子Ｔ１を介して送受することにより、ＮＣＵ１１から電話回線Ｌを通じ、通話を可能とする。
【００１５】
このように、画像通信部１（ファクシミリ装置）は、無線通信部２（無線通信基板）を接続することにより、無線通信による音声通信と画像通信とを実現する、ＰＩＡＦＳ（PHS Internet Access Forum Standard）に容易に対応できる。
次に、無線通信の子機の構成について、図２のブロック図とともに説明する。ここには、子機３として、音声通話を可能とする無線式のファクシミリ装置の構成を示している。
【００１６】
図において、３０はＣＰＵ等で構成され、以下の各部を制御する主制御部、３１はアンテナＡ３を接続して、アンテナＡ３から信号を親機側（無線通信部２）に送信するとともに、親機側から信号を受信するＲＦ部、３２は親機側に送信するデータを変調する一方、親機側から受信したデータを復調する変復調部、３３はＴＤＭＡ方式に適合したデータの作成、及び親機側から受信したデータからの必要なデータの抽出を行うチャネルコーデック、３４は親機側に送信するデータをＡＤＰＣＭ方式により符号化し、親機側からの受信データを同方式により復号するＡＤＰＣＭコーデック、３５は通話機能を果たすマイク及びスピーカ、３６は画像を読み取るスキャナ、３７は受信した画像データを記録紙に印字出力するプリンタである。また、子機３には、図示していないが、テンキーや発信キー等で構成され、各種操作や電話番号等を入力するための操作手段なども備える。
【００１７】
なお、子機３としては、図示したような構成の装置以外に、無線通信機能を備えたスキャナやプリンタ、ＰＨＳなどを接続して無線通信を実現するパーソナルコンピュータなどでも構成できる。したがって、子機３では、画像通信部１を、電話回線Ｌを介した通信を行うための中継装置（モデム）として機能させる以外に、読取部１５を作動させてスキャナとして機能させたり、記録部１６を作動させてプリンタとして機能させたりすることもできる。
【００１８】
子機３からファクシミリ送信する場合は、主制御部３０は、スキャナ３６から読み取った画像データを基に、チャネルコーデック３３で送信データを作成し、変復調部３２で変調して、ＲＦ部３１からアンテナＡ３を通じて親機側に送出する。すると、無線通信の親機となる無線通信部２は、この画像データをアンテナＡ２を通じてＲＦ部２１で受信し、変復調部２２で復調し、チャネルコーデック２３でデータを抽出して、ＤＰＲＡＭ２６に格納する。その後、画像通信部１は、ＤＰＲＡＭ２６をアクセスして画像データを取り出し、この画像データを、ＦＡＸモデム１２、ＮＣＵ１１を介して、電話回線Ｌに送出する。一方、ファクシミリ受信の場合は、画像データはファクシミリ送信とは逆のルートを経由することになり、子機３では画像データを受信すると、プリンタ３７からその画像を印字出力する。
【００１９】
また、子機３が電話回線Ｌを通じて通話する場合は、主制御部３０は、マイク（３５）から入力された音声をＡＤＰＣＭコーデック３４によって符号化し、チャネルコーデック３３で送信データを作成し、変復調部３２で変調して、ＲＦ部３１からアンテナＡ３を通じて親機側に送出する。また、逆のルートを経由して音声信号を受信するときは、ＡＤＰＣＭコーデック３４によって復号した音声をスピーカ（３５）から出力する。
【００２０】
無線通信部２は、子機３からの音声信号を、アンテナＡ２を通じてＲＦ部２１で受信したときは、変復調部２２で復調し、チャネルコーデック２３でデータを抽出し、ＡＤＰＣＭコーデック２４で復号した後、アナログＩ／Ｆ部２５からアナログ信号ライン２８を介して出力し、画像通信部１では、その音声信号をＮＣＵ１１によって接続された電話回線Ｌを通じて送出する。電話回線Ｌを通じて音声信号を受けたときには、画像通信部１と無線通信部２内の逆のルートを経由することによって、子機３に対して音声信号が送出され、子機３による通話を実現する。
【００２１】
次に、図３に、本発明装置の画像通信部１と無線通信部２の動作をフローチャート（１００〜１０７）で示す。
通話であるときは、画像通信部１は、電話回線ＬとＮＣＵ１１、アナログ信号ライン２８を接続し、無線通信部２はアナログＩ／Ｆ部２５によって音声信号を入出力するとともに、子機３に対して音声信号を無線で通信する（１００のＹｅｓ，１０１，１０２）。
【００２２】
一方、画像通信であり、電話回線Ｌを通じて画像データを送信するときは、無線通信部２は子機３からのデータを受け、そのデータをＤＰＲＡＭ２６に格納する。画像通信部１はＤＰＲＡＭ２６から画像データを読み出し、その画像データをＦＡＸモデム１２で変調した後、ＮＣＵ１１を介して電話回線Ｌに出力する（１００のＮｏ，１０３のＹｅｓ，１０４，１０５）。
【００２３】
また、電話回線Ｌを通じて画像データを受信するときは、画像通信部１は、電話回線Ｌから受信した画像データの信号を、ＦＡＸモデム１２で復調した後、ＤＰＲＡＭ２６に格納する。無線通信部２は、ＤＰＲＡＭ２６から画像データを読み出して、子機３に対して送出する（１００のＮｏ，１０３のＮｏ，１０６，１０７）。
【００２４】
【発明の効果】
以上の説明からも理解できるように、本発明の請求項１に記載の無線通信装置は、画像データを無線通信する無線通信部を、通信回線を接続する画像通信部に接続すれば、画像通信部が、無線通信部の記憶手段を直接アクセスすることにより、画像データをやり取りし、この装置を介した子機での無線の画像通信を可能にする。したがって、既存の画像通信部に対して簡易な構成で無線通信部を接続できる。
【００２５】
請求項２では、画像通信部は、無線通信部をアナログ信号ラインを介して接続し、音声信号は、このアナログ信号ラインを通じて送受され、画像データとは別の経路でやりとりされるので、画像通信部では、複雑な制御が必要なく、処理負担が小さくなってその構成を簡易にできる。
【図面の簡単な説明】
【図１】本発明の無線通信装置の要部構成の一例を示すブロック図である。
【図２】子機の要部構成の一例を示すブロック図である。
【図３】図１に示した無線通信装置の基本動作を示すフローチャートである。
【符号の説明】
１・・・画像通信部
１０・・・主制御部
１１・・・ＮＣＵ
１８・・・バス
２・・・無線通信部
２０・・・主制御部
２５・・・アナログＩ／Ｆ部
２６・・・ＤＰＲＡＭ
２７・・・バス
２８・・・アナログ信号ライン
Ｔ１・・・電話端子
Ｔ２・・・画像端子
Ｌ・・・通信回線（電話回線）
３・・・子機
【図１】
0003815029.tif 000002
【図２】
0003815029.tif 000003
【図３】
0003815029.tif 000004